【事件の表示】
平成　１年特許願第１８００５４号「表示装置」拒絶査定に対する審判事件〔平成８年１月２９日出願公告、特公平８−８６７４号、平成３年２月２６日出願公開、特開平３−４４１７８号、特許請求の範囲の範囲に記載された請求項の数（１）〕について、次のとおり審決する。
【結　論】
　原査定を取り消す。
　本願の発明は、特許すべきものとする。
【理　由】
I 【手続きの経緯、本願発明の要旨】
　本願は、平成１年７月１１日の出願であって、その発明の要旨は、出願公告後の平成８年１２月１６日付け手続補正書によって補正された明細書及び図面の記載からみて、その特許請求の範囲の請求項１に記載された次のとおりのものである。
「１．複数の表示絵素が行列状に配置された表示手段と、水平走査方向に沿う行方向の複数の表示絵素列の１つを選択する複数の行電極と、列方向に沿う複数の表示絵素列に同時に信号を印加する複数の列電極とが設けられ、行電極数は、映像信号の１垂直走査期間中の水平走査線数未満であり、映像信号に基づいて表示を行う表示装置において、
各列電極に映像信号に対応する表示データを出力する列電極駆動手段と、各水平走査期間を周期とするクロック信号を発生するクロック信号発生手段と、クロック信号発生手段からのクロック信号に応答し、１水平走査期間に等しい休止期間Ｗ１だけ、そのクロック信号を予め定める一定レベルに固定するとともに、１フレーム内の休止期間Ｗ１は、列方向に沿って１水平走査期間となるように設定され、かつ休止期間Ｗ１が複数発生され、これによって行電極の数にほぼ等しい数の水平走査線に対応するクロック信号ＣＬ１を得る制御回路２９と、各行電極の数のビット数を有し、制御回路からの休止期間Ｗ１が設けられたクロック信号ＣＬ１に応答して、行電極毎の順次的なシフト動作を行い、休止期間Ｗ１だけシフト動作を停止するシフトレジスタと、各行電極に個別的に対応してそれぞれ設けられるＡＮＤゲートであって、各ＡＮＤゲートには、シフトレジスタの各ビット毎の出力が対応して与えられ、これらのＡＮＤゲートに共通に、制御回路からの休止期間Ｗ１が設けられたクロック信号ＣＬ１が共通に与えられ、休止期間Ｗ１中、破断状態となるＡＮＤゲートとを含むことを特徴とする表示装置。」
II 【引用例】
　これに対して、原査定の拒絶の理由である特許異議の決定において引用した特開昭６３−１６９８８４号公報（以下、「引用例１」という。）には、「画像表示装置」（発明の名称）に関し、図面と共に次のとおりの記載がある。
１．「（１）複数の画素を水平及び垂直方向にマトリクス状に配置してなる画像表示器に、水平方向画素数分にサンプリングしたテレビジョン信号を、該テレビジョン信号の水平走査期間毎に垂直方向に走査するように供給して画像表示を行う画像表示装置において、１フィールドの水平走査線数が前記画像表示器の垂直方向の画素数よりも多いテレビジョン方式で伝送される第１のテレビジョン信号の１フィールドの水平走査線を所定本数毎に間引く間引き手段と、この間引き手段から出力される第１のテレビジョン信号と１フィールドの水平走査線数が前記画像表示器の垂直方向の画素数に略対応するテレビジョン方式で伝送される第２のテレビジョン信号とを選択的に前記画像表示器に供給して画像表示を行わせる選択手段とを具備してなることを特徴とする画像表示装置。」（特許請求の範囲第１項）
２．「そして、上記Ｘドライバー18の出力Ｄ1〜Ｄ480は、液晶パネル23の各列電極23ａにそれぞれ供給される。この液晶パネル23は、上記列電極23ａと該列電極23ａに直交する行電極23ｂとに接続され、水平及び垂直方向にマトリクス状に配設された複数の画素24を備えている。そして、信号の供給された行電極23ｂに接続されている画素24が、Ｘドライバー18の出力Ｄ1〜Ｄ480に対応した表示を行うものである。
　ここで、上記行電極23ｂは、Ｙドライバー25のシフトレジスタ26の出力Ｌ0〜Ｌ219によって選択的に信号が供給される。すなわち、シフトレジスタ26は、タイミング発生回路18から水平走査同期信号に同期して発生されるクロックＨＣＫに基づいてＬ0，Ｌ1，Ｌ2・・・の順序で信号を発生するもので、各行電極23ｂが垂直方向に順次走査されるようになる。」（公報第２頁左下欄第１２行〜同頁右下欄第８行）
３．「このため、アンド回路32の出力は、クロックＨＣＫが５つおきに欠けたようになり、奇数フィールドではシフトレジスタ34の出力Ｌ1，Ｌ5・・・が連続して２回発生され、偶数フィールドではシフトレジスタ34の出力Ｌ3，Ｌ8・・・が連続して２回発生されるようになる。
　したがって、奇数フィールドでは、第１図に示す液晶パネル23の上から２，６，１０・・・行目の画素24に対して、Ｘドライバー18の出力が２Ｈ連続して供給されることになり、この２Ｈのうちの最初の１Ｈで供給された信号は消去、つまり間引かれることになる。また、偶数フィールドでは、第１図に示す液晶パネル23の上から４，８，１２・・・行目の画素24に対して、Ｘドライバー18の出力が２Ｈ連続して供給されることになり、この２Ｈのうちの最初の１Ｈで供給された信号は消去、つまり間引かれることになる。」（公報第６頁左上欄第１５行〜同頁右上欄第１１行）
　同じく引用した特開昭５８−７２１９１号公報（以下、「引用例２」という。）には、「液晶表示装置の駆動方式」（発明の名称）に関し、図面と共に次のとおりの記載がある。
１．「スイッチング素子又は、非線形素子と、液晶体からなる画素をマトリックス状に配列し、前記複数の画素中からタクシング線により、ある一ラインを選択し、前記被選択画素ラインにデータ線により各々の画素に必要なデータを書き込む時分割駆動方式において、被選択期間中に書き込むサイクルとダミーサイクルを設けることにより、前記データ線に印加される電圧データの時間平均値を一定にすることを特徴とする液晶表示装置の駆動方式。」（特許請求の範囲）
２．「一方mビットシフトレジスタ２４はタイミング線により順次ラインを１つづつ選択するため、入力データＤＴにはスタートパルスが印加され、その後クロックφ２により順次”１”のデータが転送されてゆく。この結果Ｓ１〜Ｓmには順次”１”が出力される。アンドゲート２５はダミーサイクル期間中、非選択信号とするため、クロックφ２によりゲートをかける。」（公報第４頁左下欄第１７行〜同頁右下欄第４行）
III 【当審の判断】
　本願発明と上記各引用例に記載の発明とを比較・検討する。
１）明細書の特許請求の範囲の請求項１の記載によれば、本願発明は、複数の表示絵素が行列状に配置された表示手段と、水平走査方向に沿う行方向の複数の表示絵素列の１つを選択する複数の行電極と、列方向に沿う複数の表示絵素列に同時に信号を印加する複数の列電極とが設けられ、行電極数は、映像信号の１垂直走査期間中の水平走査線数未満であり、映像信号に基づいて表示を行う表示装置を前提として、同装置において、制御回路が、“１水平走査期間に等しい休止期間Ｗ１だけ、そのクロック信号を予め定める一定レベルに固定する”点、“各行電極に個別的に対応してそれぞれ設けられるＡＮＤゲートであって、各ＡＮＤゲートには、シフトレジスタの各ビット毎の出力が対応して与えられ、これらのＡＮＤゲートに共通に、制御回路からの休止期間Ｗ１が設けられたクロック信号ＣＬ１が共通に与えられ、休止期間Ｗ１中、破断状態となるＡＮＤゲート”の点の構成を、その要点とするものといえ、同構成によって、休止期間Ｗ１では、映像信号が表示装置に入力されながら、行電極の選択動作が停止され、この休止期間Ｗ１に亘る映像信号が間引かれ、これにより表示装置の行電極の数が映像信号の水平走査線数未満であるとき、垂直走査期間の全範囲内の映像を表示することができるようにしたものといえる（明細書の【発明の詳細な説明】中の「作用」の欄の記載参照）。
２）これに対して、引用例１には、複数の画素を水平及び垂直方向にマトリクス状に配置してなる画像表示器に、テレビジョン信号の水平走査期間毎に垂直方向に走査するように供給して画像表示を行う画像表示装置において、１フィールドの水平走査線数が前記画像表示器の垂直方向の画素数よりも多いテレビジョン方式で伝送される第１のテレビジョン信号の１フィールドの水平走査線を所定本数毎に間引く間引き手段と、この間引き手段から出力される第１のテレビジョン信号を前記画像表示器に供給して画像表示を行わせる画像表示装置が記載されており（引用例１の上記１．の記載参照）、その実施例として、Ｘドライバー18の出力は、液晶パネル23の各列電極23aにそれぞれ供給され、この液晶パネル23は、上記列電極23aと該列電極23aに直交する行電極23bとに接続され、水平及び垂直方向にマトリクス状に配設された複数の画素24を備え、そして、信号の供給された行電極23bに接続されている画素24が、Ｘドライバー18の出力Ｄ1〜Ｄ480に対応した表示を行うもので、上記行電極23ｂは、Ｙドライバー25のシフトレジスタ34の出力によって選択的に信号が供給されるものであり、そのシフトレジスタ34は、タイミング発生回路18から水平走査同期信号に同期して発生されるクロックＨＣＫに基づいてＬ0，Ｌ1，Ｌ2・・・の順序で信号を発生し、各行電極23ｂが垂直方向に順次走査されるようになることが記載されており（引用例１の上記２．の記載参照）、またアンド回路32の出力は、クロックＨＣＫが５つおきに欠けたようになり、奇数フィールドではシフトレジスタ34の出力Ｌ1，Ｌ5・・・が連続して２回発生され、偶数フィールドではシフトレジスタ34の出力Ｌ3，Ｌ8・・・が連続して２回発生されるようになり、したがって、奇数フィールドでは、第１図に示す液晶パネルの上から２，６，１０・・・行目の画素24に対して、Ｘドライバーの出力が２Ｈ連続して供給されることになり、この２Ｈのうちの最初の１Ｈで供給された信号は消去、つまり間引かれることになり、また偶数フィールドでは、第１図に示す液晶パネル23の上から４，８，１２・・・行目の画素24に対して、Ｘドライバー18の出力が２Ｈ連続して供給されることになり、この２Ｈのうちの最初の１Ｈで供給された信号は消去、つまり間引かれることになることが記載されている（引用例１の上記３．の記載参照）。
　それらの記載によると、引用例１に記載のものも、本願発明と同様の表示装置を前提としており、しかも「列電極駆動手段」、「クロック信号発生手段」、「制御回路」および「シフトレジスタ」を有している点では、本願発明と類似しているといえる。しかしながら、引用例１に記載のものは、行電極に対して２Ｈ連続してＸドライバーの出力が供給され、最初の１Ｈで供給された信号が間引きされるもの、すなわち最初の１Ｈに余分の信号が供給される構成のものといえるばかりでなく、引用例１には、本願発明の上記１．で摘示した点の構成について記載がなく、示唆もない。
３）また、上記引用例２には、スイッチング素子と、液晶体からなる画素をマトリックス状に配列し、複数の画素中からタイミング線により、ある一ラインを選択し、被選択画素ラインにデータ線により各々の画素に必要なデータを書き込む時分割駆動方式において、被選択期間中に書き込むサイクルとダミーサイクルを設けることにより、前記データ線に印加される電圧データの時間平均値を一定にする液晶表示装置の駆動方式が記載されており（引用例２の上記１．の記載参照）、その実施例には、mビットシフトレジスタ２４はタイミング線により順次ラインを１つづつ選択するため、入力データＤＴにはスタートパルスが印加され、その後クロックφ２により順次”１”のデータが転送されてゆき、この結果Ｓ１〜Ｓmには順次”１”が出力されること、そしてアンドゲート２５は、ダミーサイクル期間中、非選択信号とするため、クロックφ２によりゲートをかけることが示されており（引用例の上記２．の記載参照）、そこには表示装置において、“各行電極に個別的に対応してそれぞれ設けられるＡＮＤゲートに、シフトレジスタの各ビット毎の出力を対応して与え、これらのＡＮＤゲートを破断状態にする”技術は開示されているといえるが、引用例２に記載のものは、本願発明のような行電極数が、映像信号の水平走査線数未満の表示装置を前提としたものでないばかりでなく、上記ＡＮＤゲートは“１水平走査期間に等しい休止期間Ｗ１中、破断状態とする”ものでもない、すなわち引用例２にも、本願発明の上記１．で摘示した点の構成が記載もなく、示唆もないといえる。
３）以上のように、上記各引用例のいずれにも本願発明の上記１．で摘示した点の構成について記載がなく、示唆もないのであるから、それらの各引用例の記載内容を組み合わせても、本願発明が容易に想到し得るとはいえない。
　そして、本願発明は、上記１．で摘示した点の構成により複数の表示絵素が行列状に配置された表示手段に表示を行うにあたって、表示手段に設けられている行電極数が映像信号の１垂直走査期間の水平走査線数より小さいとき、制御回路２９は、休止期間Ｗ１だけクロック信号発生手段からのクロック信号を一定レベルに固定して、シフトレジスタのシフト動作を停止するとともに、各行電極に個別的に対応するＡＮＤゲートのすべてを遮断状態とし、これによって簡便な構成を用いて、映像信号の垂直走査期間の全範囲内の映像を表示することができるようになり、また行電極に個別に設けられるＡＮＤゲートによってシフトレジス夕の各ビットの出力を休止期間中に破断状態とすると、行電極からの選択信号の選択期間がどの表示絵素におい同じ間隔になるため、同じ電圧を列電極に印加しても、表示絵素に印加される電圧の実効値が変化しないため表示絵素によって輝度がばらつくことがないなどの明細書記載の顕著な効果を奏するものといえる（明細書の【発明の詳細な説明】中の「発明の効果］の欄参照）。
IV 【むすび】
　以上のとおりであるから、本願発明は上記各引用例に記載された発明に基づいて当業者が容易に発明をすることができたものとすることはできない。
　また、他に本願を拒絶すべき理由を発見しない。
　よって、結論のとおり審決する。